(57)【要約】【課題】背面より並列の陰極線管を用いて光を導入する場合であっても、画面全体に渡り均一な照明をすることができる光学シート、面光源装置及び透過型表示装置を提供する。【解決手段】ＬＣＤパネル１１と複数の陰極線管１３を並列に並べた光源部との間に光学シート１２を配置する。この光学シート１２は、光源部に対向する側に設けられた入射側レンチキュラーレンズ部１２ｂと、前記透過型表示部に対向する側に設けられた出射側レンチキュラーレンズ部１２ｃとを備えた両面レンチキュラーレンズシートであり、入射側レンチキュラーレンズ部１２ｂの稜線方向と出射側レンチキュラーレンズ部１２ｃの稜線方向とが略一致し、さらに、これらの稜線方向は、陰極線管１３の長手方向とも一致している。【選択図】                図１
2005043516.tif 000002
【特許請求の範囲】
【請求項１】
透過型表示部と複数の線光源を並列に並べた光源部との間に設けられる光学シートであって、
前記光源部に対向する側に設けられた入射側レンチキュラーレンズ部と、
前記透過型表示部に対向する側に設けられた出射側レンチキュラーレンズ部と、を備え、
前記入射側レンチキュラーレンズ部の稜線方向と前記出射側レンチキュラーレンズ部の稜線方向とが略一致していること、を特徴とする光学シート。
【請求項２】
請求項１に記載の光学シートにおいて、
前記光源部と組み合わせられたときに、前記入射側レンチキュラーレンズ部及び前記出射側レンチキュラーレンズ部の稜線方向は、前記複数の線光源の長手方向と略一致していること、を特徴とする光学シート。
【請求項３】
請求項１又は請求項２に記載の光学シートにおいて、
前記入射側レンチキュラーレンズ部及び／又は前記出射側レンチキュラーレンズ部の形状は、前記光源部と組み合わせられたときの前記線光源までの距離に応じて異なること、を特徴とする光学シート。
【請求項４】
請求項１から請求項３までのいずれか１項に記載の光学シートにおいて、
前記入射側レンチキュラーレンズ部と前記出射側レンチキュラーレンズ部との間には、基材層が設けられていること、を特徴とする光学シート。
【請求項５】
透過型表示部の背面側から照明光を投光する面光源装置であって、
複数の線光源を並列に並べた光源部と、
前記光源部よりも出射側に設けられた光学シートと、を備え、
前記光学シートは、前記光源部よりも出射側にあって前記光源部に対向する側に設けられた入射側レンチキュラーレンズ部と、
前記透過型表示部に対向する側に設けられた出射側レンチキュラーレンズ部と、を有し、
前記入射側レンチキュラーレンズ部の稜線方向と前記出射側レンチキュラーレンズ部の稜線方向とが略一致していること、を特徴とする面光源装置。
【請求項６】
請求項５に記載の面光源装置において、
前記入射側レンチキュラーレンズ部及び前記出射側レンチキュラーレンズ部の稜線方向は、前記複数の線光源の長手方向と略一致していること、を特徴とする面光源装置。
【請求項７】
請求項５又は請求項６に記載の面光源装置において、
前記入射側レンチキュラーレンズ部及び／又は前記出射側レンチキュラーレンズ部の形状は、前記線光源までの距離に応じて異なること、を特徴とする面光源装置。
【請求項８】
請求項５から請求項７までのいずれか１項に記載の面光源装置において、
前記線光源は、陰極線管であること、を特徴とする面光源装置。
【請求項９】
請求項５から請求項８までのいずれか１項に記載の面光源装置において、
前記入射側レンチキュラーレンズ部と前記出射側レンチキュラーレンズ部との間には、基材層が設けられていること、を特徴とする面光源装置。
【請求項１０】
透過型表示部と、
複数の線光源を並列に並べた光源部と、
前記透過型表示部と前記光源部との間に設けられる光学シートと、
を備えた透過型表示装置であって、
前記光学シートは、前記光源部よりも出射側にあって前記光源部に対向する側に設けられた入射側レンチキュラーレンズ部と、
前記透過型表示部に対向する側に設けられた出射側レンチキュラーレンズ部と、を有し、
前記入射側レンチキュラーレンズ部の稜線方向と前記出射側レンチキュラーレンズ部の稜線方向とが略一致していること、を特徴とする透過型表示装置。
【請求項１１】
請求項１０に記載の透過型表示装置において、
前記入射側レンチキュラーレンズ部及び前記出射側レンチキュラーレンズ部の稜線方向は、前記複数の線光源の長手方向と略一致していること、を特徴とする透過型表示装置。
【請求項１２】
請求項１０又は請求項１１に記載の透過型表示装置において、
前記入射側レンチキュラーレンズ部及び／又は前記出射側レンチキュラーレンズ部の形状は、前記線光源までの距離に応じて異なること、を特徴とする透過型表示装置。
【請求項１３】
請求項１０から請求項１２までのいずれか１項に記載の透過型表示装置において、
前記線光源は、陰極線管であること、を特徴とする透過型表示装置。
【請求項１４】
請求項１０から請求項１３までのいずれか１項に記載の透過型表示装置において、
前記入射側レンチキュラーレンズ部と前記出射側レンチキュラーレンズ部との間には、基材層が設けられていること、を特徴とする透過型表示装置。
【発明の詳細な説明】
【０００１】
【発明の属する技術分野】
本発明は、液晶ディスプレイ等のバックライトに用いられる光学シート、バックライトとして使用される面光源装置、及び、それらを用いた透過型表示装置に関するものである。
【０００２】
【従来の技術】
液晶ディスプレイ等に用いられるバックライトでは、サイドより陰極線管を用いて光を導入したり、背面に陰極線管を並列に配置したりして光を導入していた。
しかし、サイドより光を導入する場合には、使用可能となる陰極線管の数が限られるためにある程度以上に光の強度を上げることができないという問題があった。
【０００３】
また、従来、背面より並列の陰極線管を用いて光を導入する場合には、陰極線管とＬＣＤパネル（透過型表示部）との距離を離し、その間に拡散板を使用することにより、陰極線管が発光する照明光がＬＣＤパネルを均一に照明できるようにしていた。
しかし、背面より光を導入する場合には、陰極線管の間隙部分と直下との光強度のムラが発生したり、これを抑えるために陰極線管とＬＣＤパネルとの間隔を大きく離したりするために、ディスプレイの厚さが厚くなったり、ムラを抑えるために拡散を強くしたり、透過量を制限したりすることで、光の使用量が低減したりするという問題があった。
【０００４】
これらの問題に対して、例えば、特許文献１や特許文献２のように遮光部分を設けることで均一性を維持する方式が各種提案されている。
また、両面にレンチキュラーレンズを設けたシートを使用する方式が、例えば、特許文献３に提案されている。
【０００５】
【特許文献１】
特開平０５−１１９７０３号公報
【特許文献２】
特開平１１−２４２２１９号公報
【特許文献３】
特開平０６−３４７６１３号公報
【０００６】
【発明が解決しようとする課題】
しかし、特許文献１，２に記載の方式では、遮光部分を設けるので、光の利用率が下がってしまうという問題があった。
また、特許文献３に記載の方式は、２方向の拡散制御を行うための構成であり、光軸の補正を行う機能はない。したがって、陰極線管との位置関係によってＬＣＤの場所毎に光軸がばらつくと、画面を観察する位置によっては、画面の位置毎に明るさの斑が発生したりするという問題があった。
【０００７】
本発明の課題は、背面より並列の陰極線管を用いて光を導入する場合であっても、画面全体に渡り均一な照明をすることができる光学シート、面光源装置及び透過型表示装置を提供することである。
【０００８】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、透過型表示部（１１）と複数の線光源（１３）を並列に並べた光源部との間に設けられる光学シート（１２）であって、前記光源部に対向する側に設けられた入射側レンチキュラーレンズ部（１２ｂ）と、前記透過型表示部に対向する側に設けられた出射側レンチキュラーレンズ部（１２ｃ）と、を備え、前記入射側レンチキュラーレンズ部の稜線方向と前記出射側レンチキュラーレンズ部の稜線方向とが略一致していること、を特徴とする光学シートである。
【０００９】
請求項２の発明は、請求項１に記載の光学シートにおいて、前記光源部と組み合わせられたときに、前記入射側レンチキュラーレンズ部（１２ｂ）及び前記出射側レンチキュラーレンズ部（１２ｃ）の稜線方向は、前記複数の線光源（１３）の長手方向と略一致していること、を特徴とする光学シート（１２）である。
【００１０】
請求項３の発明は、請求項１又は請求項２に記載の光学シートにおいて、前記入射側レンチキュラーレンズ部（１２ｂ）及び／又は前記出射側レンチキュラーレンズ部（１２ｃ）の形状は、前記光源部と組み合わせられたときの前記線光源（１３）までの距離に応じて異なること、を特徴とする光学シート（１２）である。
【００１１】
請求項４の発明は、請求項１から請求項３までのいずれか１項に記載の光学シートにおいて、前記入射側レンチキュラーレンズ部（１２ｂ）と前記出射側レンチキュラーレンズ部（１２ｃ）との間には、基材層（１２ａ）が設けられていること、を特徴とする光学シート（１２）である。
【００１２】
請求項５の発明は、透過型表示部（１１）の背面側から照明光を投光する面光源装置であって、複数の線光源（１３）を並列に並べた光源部と、前記光源部よりも出射側に設けられた光学シート（１２）と、を備え、前記光学シートは、前記光源部よりも出射側にあって前記光源部に対向する側に設けられた入射側レンチキュラーレンズ部（１２ｂ）と、前記透過型表示部に対向する側に設けられた出射側レンチキュラーレンズ部（１２ｃ）と、を有し、前記入射側レンチキュラーレンズ部の稜線方向と前記出射側レンチキュラーレンズ部の稜線方向とが略一致していること、を特徴とする面光源装置（１２，１３）である。
【００１３】
請求項６の発明は、請求項５に記載の面光源装置において、前記入射側レンチキュラーレンズ部（１２ｂ）及び前記出射側レンチキュラーレンズ部（１２ｃ）の稜線方向は、前記複数の線光源（１３）の長手方向と略一致していること、を特徴とする面光源装置（１２，１３）である。
【００１４】
請求項７の発明は、請求項５又は請求項６に記載の面光源装置において、前記入射側レンチキュラーレンズ部（１２ｂ）及び／又は前記出射側レンチキュラーレンズ部（１２ｃ）の形状は、前記線光源（１３）までの距離に応じて異なること、を特徴とする面光源装置（１２，１３）である。
【００１５】
請求項８の発明は、請求項５から請求項７までのいずれか１項に記載の面光源装置において、前記線光源（１３）は、陰極線管であること、を特徴とする面光源装置（１２，１３）である。
【００１６】
請求項９の発明は、請求項５から請求項８までのいずれか１項に記載の面光源装置において、前記入射側レンチキュラーレンズ部（１２ｂ）と前記出射側レンチキュラーレンズ部（１２ｃ）との間には、基材層（１２ａ）が設けられていること、を特徴とする面光源装置（１２，１３）である。
【００１７】
請求項１０の発明は、透過型表示部（１１）と、複数の線光源（１３）を並列に並べた光源部と、前記透過型表示部と前記光源部との間に設けられる光学シート（１２）と、を備えた透過型表示装置であって、前記光学シートは、前記光源部よりも出射側にあって前記光源部に対向する側に設けられた入射側レンチキュラーレンズ部（１２ｂ）と、前記透過型表示部に対向する側に設けられた出射側レンチキュラーレンズ部（１２ｃ）と、を有し、前記入射側レンチキュラーレンズ部の稜線方向と前記出射側レンチキュラーレンズ部の稜線方向とが略一致していること、を特徴とする透過型表示装置（１０）である。
【００１８】
請求項１１の発明は、請求項１０に記載の透過型表示装置において、前記入射側レンチキュラーレンズ部（１２ｂ）及び前記出射側レンチキュラーレンズ部（１２ｃ）の稜線方向は、前記複数の線光源の長手方向と略一致していること、を特徴とする透過型表示装置（１０）である。
【００１９】
請求項１２の発明は、請求項１０又は請求項１１に記載の透過型表示装置において、前記入射側レンチキュラーレンズ部（１２ｂ）及び／又は前記出射側レンチキュラーレンズ部（１２ｃ）の形状は、前記線光源（１３）までの距離に応じて異なること、を特徴とする透過型表示装置（１０）である。
【００２０】
請求項１３の発明は、請求項１０から請求項１２までのいずれか１項に記載の透過型表示装置において、前記線光源（１３）は、陰極線管であること、を特徴とする透過型表示装置（１０）である。
【００２１】
請求項１４の発明は、請求項１０から請求項１３までのいずれか１項に記載の透過型表示装置において、前記入射側レンチキュラーレンズ部（１２ｂ）と前記出射側レンチキュラーレンズ部（１２ｃ）との間には、基材層（１２ａ）が設けられていること、を特徴とする透過型表示装置（１０）である。
【００２２】
【発明の実施の形態】
以下、図面等を参照しながら、本発明の実施の形態について、さらに詳しく説明する。
図１は、本発明による透過型表示装置の実施形態を示す図である。なお、図１を含め、以下に示す各図は、模式的に示した図であり、各部の大きさ、形状は、理解を容易にするために、適宜誇張して示している。
本実施形態における透過型表示装置１０は、ＬＣＤパネル１１，光学シート１２，陰極線管１３等を備え、ＬＣＤパネル１１に形成される映像を光学シート１２及び陰極線管１３を備える面光源装置により背面から照明する透過型液晶表示装置である。
ＬＣＤパネル１１は、所謂透過型の液晶表示素子であって、３０インチサイズ、解像度はＳＶＧＡである。
陰極線管１３は、バックライトの光源部を形成する線光源であり、本実施形態では、略７５ｍｍ間隔で等間隔に６本が並列に並べられている。
また、陰極線管１３と光学シート１２との間隔は５０ｍｍである。
【００２３】
光学シート１２は、陰極線管１３とＬＣＤパネル１１との間に設けられ、陰極線管１３が発光した照明光をＬＣＤパネル１１に対して略垂直に出射するように光軸の補正を行い、かつ、位置によらず均一な照度分布となるように設けられたシートである。
本実施形態における透過型表示装置は、上述した構成で、その厚さは、１００ｍｍである。
【００２４】
図２は、光学シート１２を示す図である。図２（ａ）は、光学シート１２の全体を示し、図２（ｂ）は、図２（ａ）中に示したＡ−Ａ’部分の断面図である。本実施形態における光学シート１２は、基材シート１２ａ，入射側レンチキュラーレンズ部１２ｂ，出射側レンチキュラーレンズ部１２ｃを有している。
基材シート１２ａは、厚さ１〜３ｍｍ程度のシート状に形成された透明の基材である。基材シート１２ａは、例えば、アクリル系樹脂、ポリスチレン、ポリカーボネート、エポキシ樹脂等で形成される。
【００２５】
入射側レンチキュラーレンズ部１２ｂ，出射側レンチキュラーレンズ部１２ｃは、単位レンズの断面が楕円の一部となっており、例えば、アクリル系樹脂、ポリスチレン、ポリカーボネート、エポキシ樹脂等で形成されている。
本実施形態における入射側レンチキュラーレンズ部１２ｂ，出射側レンチキュラーレンズ部１２ｃは、単位レンズがピッチＰ＝０．３ｍｍで略平行に並んで配置されている。
【００２６】
ここで、入射側レンチキュラーレンズ部１２ｂ，出射側レンチキュラーレンズ部１２ｃのレンズピッチＰは、ＬＣＤパネル１１等のマトリックス映像とのモワレを防止するためにマトリックス映像の映像ピッチＤとの関係で次のいずれかの条件を満たすように定めるとよい。すなわち、条件１：（Ｄ／Ｐ）＝２／（２ｎ＋１）、又は、（Ｄ／Ｐ）＝（２ｎ＋１）／２（ただし、ｎは負でない整数）。条件２：（Ｄ／Ｐ）＞３．５、又は、（Ｐ／Ｄ）＞３．５、より望ましくは、（Ｄ／Ｐ）＞４．５、又は、（Ｐ／Ｄ）＞４．５のいずれかを満たすようにレンズピッチＰを定めればよい。
【００２７】
また、本実施形態における出射側レンチキュラーレンズ部１２ｃは、入射側レンチキュラーレンズ部１２ｂの焦点位置付近に設けられている（図５参照）。
さらに、本実施形態では、の稜線方向とは、略一致している。
さらに、これらの稜線方向は、陰極線管１３の長手方向と略一致している。
【００２８】
（光学シート１２の製造方法）
ここで、本実施形態における光学シート１２の製造方法について説明する。
本実施形態では、入射側レンチキュラーレンズ部１２ｂ，出射側レンチキュラーレンズ部１２ｃの形成に紫外線硬化型樹脂を用いて、所謂２Ｐ法により光学シート１２を製造した。
まず、入射側レンチキュラーレンズ部１２ｂ，出射側レンチキュラーレンズ部１２ｃの形状に対応した成形型にロールコート法、グラビア法、ディスペンサー法、ダイコート法等により紫外線硬化樹脂を充填する。紫外線硬化樹脂を成形型に充填した後、その成形型に充填した紫外線硬化樹脂上に基材シートを積層し、加圧ローラで加圧して紫外線硬化型樹脂と基材シートとを密着させる。紫外線硬化型樹脂と基材シートとを密着させたら、基材シート上から紫外線硬化樹脂に紫外線を照射して、紫外線硬化樹脂を硬化させる。最後に、硬化した紫外線硬化樹脂を成形型から離型する。この作業を両面に行うことにより光学シート１２を完成する。
このように製造された光学シート１２は、必要に応じて所定の寸法に裁断され、バックライト用の光学シート１２として使用される。
【００２９】
なお、光学シート１２の製造は、上述した紫外線硬化型樹脂を用いた２Ｐ法に限られることなく、アクリル系樹脂、ポリスチレン、ポリカーボネート、エポキシ樹脂等の樹脂素材を用いて、光学シート１２に対応する成形型にモノマー状態の樹脂素材を充填して重合硬化させ、その後離型する方法（キャスティング法）や、同様の成形型に加熱した樹脂素材を充填し加圧して成形した後に離型する方法（熱プレス法）等により製造することができる。
【００３０】
図３は、本実施形態の透過型表示装置において、光学シート１２がどのように作用するのかを説明する図である。なお、図３は、図２（ｂ）と同様な断面により示している。
陰極線管１３から発せられる照明光は、図３に示す断面においては、陰極線管１３を中心として全方向に広がり、光学シート１２にも様々な角度で入射する。光学シート１２に対して比較的小さい入射角で入射する照明光は、入射側レンチキュラーレンズ部１２ｂ及び出射側レンチキュラーレンズ部１２ｃにより屈折して、ＬＣＤパネル１１に対して略垂直に入射するように、光学シート１２から出射する。
【００３１】
また、光学シート１２に対して比較的大きい入射角で入射する照明光は、入射側レンチキュラーレンズ部１２ｂに入射した時点で屈折され、出射側レンチキュラーレンズ部１２ｃに達したときに臨界角を越えているために全反射する。この全反射を光学シート１２内で何回か繰り返し、臨界角を越えないようになった段階で光学シート１２から出光する。したがって、陰極線管１３から光学シート１２に対して比較的大きい入射角で入射する照明光であっても、ＬＣＤパネル１１に対しては、入射角が小さく（垂直に近く）なって入射することとなる。
このように、光学シート１２により照明光の光軸を補正するので、本実施形態における透過型表示装置では、場所によるディスプレイ画像の輝度差は、１０％以内となり、実用上輝度のムラは確認できず、均一な輝度となっている。
【００３２】
（比較例）
本実施形態における光学シート１２の効果を確認するために、以下に示す透過型表示装置を作成した。
図４は、比較例として作成した透過型表示装置を示す図である。なお、図４は、図３と同様にして示している。
図４に示した比較例では、上述の実施形態と同じ３０インチサイズ、解像度がＳＶＧＡのＬＣＤパネル１１を用いている。また、陰極線管１３についても、上述の実施形態と同じであり、ＬＣＤの背面に６本の陰極線管１３を略７５ｍｍ間隔で等間隔に略平行に配置している。また、図４に示した比較例では、ＬＣＤパネル１１と陰極線管１３との間に拡散板１４を配置している。この拡散板１４と陰極線管１３との間隔は、７０ｍｍとしている。なお、この間隔は、ＬＣＤパネル１１上の位置により、照明光の輝度差が最も少なくなるような間隔である。
この比較例における透過型表示装置は、上述した構成で、その厚さは、１２０ｍｍとなった。
【００３３】
完成した比較例の透過型表示装置を稼働させて観察すると、この比較例では、場所によるディスプレイ画像の輝度差は最大５０％あった。
また、この比較例では、正面から観察したときの輝度のムラは補正可能であるが、視点を移動した際には、陰極線管の位置に対応した輝度のムラが確認されてしまった。
さらに、拡散板１４による透過率の低下が略２０％あり、さらにＬＣＤパネル１１への入射光の拡散による透過率の低下が、上述した本実施形態に比べて３０％発生してしまった。
【００３４】
このように、比較例の透過型表示装置では、装置の厚さが厚くなっているにも関わらず、ディスプレイ画像の輝度差が大きく、ムラがあり、透過率が低いことから輝度も低く、上述の本発明の実施形態の透過型表示装置と比較して全ての面において明らかに劣っていた。
【００３５】
本実施形態によれば、陰極線管１３とＬＣＤパネル１１との間隙に両面レンチキュラーレンズである光学シート１２を挿入したので、陰極線管１３からＬＣＤパネル１１への光の入射方向の陰極線管１３との位置関係によるバラツキを補正し、ＬＣＤパネル１１へ略垂直に入射するようできる。したがって、ＬＣＤパネル１１のいずれの位置においても均一な入射光の方向と強度を確保することができ、映像の強度ムラを抑えると共に、適度な拡散特性を得ることで光量の損失を抑え、さらにＬＣＤパネル１１における透過率も高くすることができる。
【００３６】
以上のように構成された透過型表示装置は、前述のとおり、光学シート１２の作用により陰極線管１３からの照明光のＬＣＤパネル１１への入射角が略垂直となるように出射させるので、観察者は、ＬＣＤパネル１１上の画像を高輝度で、かつ、ムラむらなく観察することができる。
【００３７】
また、本実施形態では、光学シート１２は、基材シート１２ａの両面に入射側レンチキュラーレンズ部１２ｂ，出射側レンチキュラーレンズ部１２ｃを紫外線硬化型樹脂により形成したので、光学シート１２の製造が容易にすることができる。
【００３８】
（変形形態）
以上説明した実施形態に限定されることなく、種々の変形や変更が可能であって、それらも本発明の均等の範囲内である。
例えば、本実施形態において、入射側レンチキュラーレンズ部１２ｂ及び出射側レンチキュラーレンズ部１２ｃの形状は、いずれも等しく、また、単位レンズの形状も、全ての位置において等しい例を示したが、これに限らず、例えば、入射側レンチキュラーレンズ部１２ｂと出射側レンチキュラーレンズ部１２ｃとで、単位レンズの形状を変更してもよいし、陰極線管１３との位置関係に応じて（陰極線管１３までの距離に応じて）単位レンズの形状を変化させて、照度のムラを調整してもよい。
【００３９】
【発明の効果】
以上詳しく説明したように、本発明によれば、以下の効果を奏することができる。
（１）透過型表示部と複数の線光源を並列に並べた光源部との間に設けられる光学シートであって、光源部に対向する側に設けられた入射側レンチキュラーレンズ部と、透過型表示部に対向する側に設けられた出射側レンチキュラーレンズ部と、を備え、入射側レンチキュラーレンズ部の稜線方向と出射側レンチキュラーレンズ部の稜線方向とが略一致しているので、陰極線管から透過型表示部に対する照明光の入射角を略垂直に補正することができ、映像の強度ムラを抑えると共に、適度な拡散特性を得ることで光量の損失を抑え、さらに透過型表示部における透過率も高くすることができる。
【００４０】
（２）入射側レンチキュラーレンズ部及び出射側レンチキュラーレンズ部の稜線方向は、複数の線光源の長手方向と略一致しているので、照明光の光軸補正をより的確に行うことができる。
【００４１】
（３）入射側レンチキュラーレンズ部及び／又は出射側レンチキュラーレンズ部の形状は、光源部と組み合わせられたときの線光源までの距離に応じて異なるので、線光源の本数が少ない場合であっても、照明光の光軸補正を精度よく行うことができ、均一な照明光とすることができる。
【００４２】
（４）入射側レンチキュラーレンズ部と出射側レンチキュラーレンズ部との間には、基材層が設けられているので、光学シートの製造を容易に行うことができる。
【００４３】
（５）線光源は、陰極線管であるので、面光源装置及び透過型表示装置を安価に製造することができる。
【図面の簡単な説明】
【図１】本発明による透過型表示装置の実施形態を示す図である。
【図２】光学シート１２を示す図である。
【図３】本実施形態の透過型表示装置において、光学シート１２がどのように作用するのかを説明する図である。
【図４】比較例として作成した透過型表示装置を示す図である。
【図５】入射側レンチキュラーレンズ部と出射側レンチキュラーレンズ部との位置関係を示す図である。
【符号の説明】
１０  透過型表示装置
１１  ＬＣＤパネル
１２  光学シート
１２ａ  基材シート
１２ｂ  入射側レンチキュラーレンズ部
１２ｃ  出射側レンチキュラーレンズ部
１３  陰極線管
１４  拡散板
【図１】
2005043516.tif 000003
【図２】
2005043516.tif 000004
【図３】
2005043516.tif 000005
【図４】
2005043516.tif 000006
【図５】
2005043516.tif 000007